(57)【要約】【課題】ハンドを繰出終了位置から繰出開始位置に移動させるときに、針が新聞を擦ることのない新聞自動販売機の新聞収納ラックを提供すること。【解決手段】ラックの奥方から前方に移動させられるアーム６２と、アーム６２に回動可動に取り付けられるとともに、繰り出す新聞を引っ掛ける針６４１が装着されたハンド６３とを備え、新聞に針６４１を引っ掛けた状態でハンド６３を繰出開始位置から繰出終了位置に移動させることにより新聞を繰り出す新聞自動販売機の新聞収納ラックにおいて、ハンド６３に繰出終了位置から繰出開始位置に戻す力が作用した場合にラックに収納された新聞から針６４１の先端が離反するように針６４１の姿勢を変更するようにした。【選択図】        図７
2010067149.tif 000002
【特許請求の範囲】
【請求項１】
本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられるとともに、繰り出す新聞を引っ掛ける針が装着されたハンドとを備え、新聞に針を引っ掛けた状態でハンドを繰出開始位置から繰出終了位置に移動させることにより新聞を繰り出す新聞自動販売機の新聞収納ラックにおいて、
ハンドに繰出終了位置から繰出開始位置に移動させる力が作用した場合にラックに収納された新聞から針の先端が離反するように針の姿勢を変更する針姿勢変更手段を備えたことを特徴とする新聞自動販売機の新聞収納ラック。
【請求項２】
本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられるとともに、繰り出す新聞を引っ掛ける針が装着されたハンドとを備え、新聞に針を引っ掛けた状態でハンドを繰出開始位置から繰出終了位置に移動させることにより新聞を繰り出す新聞自動販売機の新聞収納ラックにおいて、
ハンドに繰出終了位置から繰出開始位置に移動させる力が作用した場合にラックに収納された新聞から針の先端を待避させる針待避手段を備えたことを特徴とする新聞自動販売機の新聞収納ラック。
【発明の詳細な説明】
【技術分野】
【０００１】
本発明は、新聞を販売する新聞自動販売機の新聞収納ラックに関するものである。
【背景技術】
【０００２】
新聞を販売する新聞自動販売機は、前面が開口した箱状の本体キャビネットと、本体キャビネットの前面開口を閉塞する外扉とを備えている。本体キャビネットには、上下方向に複数段の棚が設けてあり、各棚には、新聞収納ラックが搭載してある。新聞収納ラックは、引き出し可能に構成された箱状のラック（ストック部）と、格納されたラックから新聞を繰り出す搬出装置とを備えている。ラックは、前面及び上面が開口してあり、販売する新聞を積層した状態で収納できるようになっている。搬出装置は、本体キャビネットの奥方から前方に移動する駆動ユニットと、駆動ユニットに回動可能に取り付けられ、奥方から前方に移動させられるアームと、アームに回動可能に取り付けられ、かつ、新聞を引っ掛ける針が装着されたハンドとを備えている。そして、ハンドを降ろした状態で自動販売機本体から販売指令を受信すると、駆動ユニットがアームを前方から奥方に移動させた後、奥方（繰出開始位置）から前方（繰出終了位置）に移動させることにより、針が新聞を引っ掛けてラックから新聞を一冊ずつ繰り出すようになっている。そして、繰り出された新聞は、外扉に設けられた取出口から搬出されるようになっている（例えば、非特許文献１参照）。
【０００３】
【非特許文献１】近畿車輛株式会社  「近畿車輌-新聞自動販売機-KNC-10」［平成２０年６月１日検索］、インターネット＜URL：http://www.kinkisharyo.co.jp/ja/sanki/sa-seihin/sa-knc-10.htm＞
【発明の開示】
【発明が解決しようとする課題】
【０００４】
しかしながら、針が新聞に接した状態で、ハンドを繰出終了位置から繰出開始位置に移動させると、針が新聞を擦ることにより、新聞の表面に針跡を残すことになるので、新聞の販売品質を下げることになる。
【０００５】
本発明は、上記実情に鑑みて、ハンドを繰出終了位置から繰出開始位置に移動させるときに、針が新聞を擦ることのない新聞自動販売機の新聞収納ラックを提供することを目的とする。
【課題を解決するための手段】
【０００６】
上記の目的を達成するために、本発明の請求項１に係る新聞自動販売機の新聞収納ラックは、本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられるとともに、繰り出す新聞を引っ掛ける針が装着されたハンドとを備え、新聞に針を引っ掛けた状態でハンドを繰出開始位置から繰出終了位置に移動させることにより新聞を繰り出す新聞自動販売機の新聞収納ラックにおいて、ハンドに繰出終了位置から繰出開始位置に移動させる力が作用した場合にラックに収納された新聞から針の先端が離反するように針の姿勢を変更する針姿勢変更手段を備えたことを特徴とする。
【０００７】
また、本発明の請求項２に係る新聞自動販売機の新聞収納ラックは、本体キャビネットに搭載され、新聞が収納されるラックと、本体キャビネットに搭載され、本体キャビネットの奥方から前方へ移動する駆動ユニットと、駆動ユニットに回動可能に取り付けられ、駆動ユニットの前方への移動に伴い、ラックの奥方から前方に移動させられるアームと、該アームに回動可動に取り付けられるとともに、繰り出す新聞を引っ掛ける針が装着されたハンドとを備え、新聞に針を引っ掛けた状態でハンドを繰出開始位置から繰出終了位置に移動させることにより新聞を繰り出す新聞自動販売機の新聞収納ラックにおいて、ハンドに繰出終了位置から繰出開始位置に移動させる力が作用した場合にラックに収納された新聞から針の先端を待避させる針待避手段を備えたことを特徴とする。
【発明の効果】
【０００８】
本発明に係る新聞自動販売機の新聞収納ラックは、ハンドに繰出終了位置から繰出開始位置に移動させる力が作用した場合に、ラックに収納された新聞から針の先端が離反するように針の姿勢を変更するので、ハンドを繰出終了位置から繰出開始位置に移動させるときに針が新聞を擦ることがなく、針先端の磨耗も防ぐことができる。
【０００９】
本発明に係る新聞自動販売機の新聞収納ラックは、ハンドに繰出終了位置から繰出開始位置に移動させる力が作用した場合に、ラックに収納された新聞から針の先端を待避させるので、ハンドを繰出終了位置から繰出開始位置に移動させるときに針が新聞の表面を擦ることがなく、針先端の磨耗も防ぐことができる。
【発明を実施するための最良の形態】
【００１０】
以下に添付図面を参照して、本発明に係る新聞自動販売機の新聞収納ラックの好適な実施の形態を詳細に説明する。なお、この実施の形態によりこの発明が限定されるものではない。
【００１１】
図１は、本発明の実施の形態である新聞自動販売機の新聞収納ラックを適用した新聞自動販売機を示す正面図である。新聞自動販売機は、新聞を販売する自動販売機であって、一台で複数種類（図１に示した新聞自動販売機は最大７種類）の新聞を販売できるようになっている。
【００１２】
図１に示すように、新聞自動販売機は、前面が開口した箱状の本体キャビネット１と、本体キャビネット１の前面開口を閉塞する外扉２とを備えている。
【００１３】
本体キャビネット１と外扉２とは、鋼板を適宜組み合わせたもので、本体キャビネット１の左側縁には、外扉２が支承してある。また、外扉２の右側中程には、ハンドルロック２１が配設してあり、外扉２を閉塞した状態で施錠可能となっている。
【００１４】
図１に示すように、外扉２の右側には、硬貨投入口２２、紙幣挿入口２３、電子マネー受付部２４、一体表示器２５、返却レバー２６、返却口２７が配設してある。硬貨投入口２２は、硬貨を受け付けるための開口であって、硬貨投入口２２から投入された硬貨は、外扉２の背面内側に配設したコインメカニズム（硬貨処理装置）（図示せず）に収容されるようになっている。紙幣挿入口２３は、紙幣を受け付けるための開口であって、紙幣挿入口２３から挿入された紙幣は、外扉２の背面内側に配設したビルバリデータ（紙幣処理装置）（図示せず）に収容されるようになっている。電子マネー受付部２４は、電子マネーがチャージされたカード等の記録媒体を受け付ける部分であって、記録媒体がかざされると、記録媒体との間で電子マネーデータを送受信することにより、対価を収受するようになっている。一体表示器２５は、販売中、釣り銭切れ、投入金額、お札禁止等の各種情報を表示するためのものである。返却レバー２６は、取引の中断を指示するためのものであって、返却レバー２６が操作されると、取引が中断され、釣り銭等を返却口２７に放出するようになっている。
【００１５】
また、外扉２には、表示選択装置３と新聞取出口４とが上下方向に複数設けてある（図１に示した新聞自動販売機は７つの表示選択装置３と７つの新聞取出口４とが設けてある）。表示選択装置３と新聞取出口４とは、１対１の関係を有している。
【００１６】
表示選択装置３は、新聞の紙名（朝刊、夕刊の別を含む）が記載されたプレート３１と、プレート３１に記載された新聞を選択する選択ボタン３２とを有している。プレート３１は、外扉２の背面に装着してあり、外扉２を開放した状態で入れ替え可能となっている。選択ボタン３２は、例えば、点灯可能な押しボタンスイッチで構成してあり、選択可能な場合に点灯し、選択された場合には一定時間点滅するように制御されるようになっている。なお、最上段の表示選択装置３には、上方に隣接する展示部３３が設けてある。展示部３３には、透明なパネル３３ａが嵌め込んであり、注目記事が掲載された新聞を展示できるようになっている。
【００１７】
新聞取出口４は、新聞を取り出すための開口であって、その開口幅は、新聞が通るように、新聞の長手方向の長さと略同一となるように形成してある。また、新聞取出口４の奥方上方部には、フラッパ（図示せず）が支承してある。フラッパは、奥方から手前側に向けて漸次低くなるように傾斜した状態で新聞取出口４を閉塞するもので、販売待機状態でフラッパが新聞取出口４を閉塞するようになっている。
【００１８】
一方、本体キャビネット１には、本発明の実施の形態である新聞自動販売機の新聞収納ラックが上下方向に沿って複数搭載してある（図１に示した新聞自動販売機は、７つの新聞収納ラックが搭載してある）。
【００１９】
（実施の形態１）
図２及び図３は、本発明の実施の形態１である新聞自動販売機の新聞収納ラックを示す図である。
【００２０】
新聞収納ラック５は、販売する新聞を積層した状態で収納するとともに、自動販売機本体からの販売指令にしたがって新聞を一冊ずつ繰り出すものであって、図２及び図３に示すように、ラック５０と搬出装置６０とを有している。
【００２１】
ラック５０は、本体キャビネット１に引き出し可能に搭載してある。ラック５０は、新聞の長手方向がラック５０の幅方向となるようにして新聞を収納するもので、鋼板を折り曲げることにより構成してある。ラック５０は、前面と上面とが開口した箱状を呈しており、ラック５０に収納された新聞は前面開口から一冊ずつ繰り出されるようになっている。
【００２２】
図２に示すように、ラック５０の底面には、ラック５０の底部を構成する底上部材５１が取り付けてある。底上部材５１は、後述する針６４１を保護するためのもので、板状体（例えば、鋼板）の両縁をそれぞれ階段状に折り曲げることにより、上面がラック５０の底面から僅かに浮くように構成してある。また、底上部材５１の上面には、切り抜き５１ａが設けてある。切り抜き５１ａは、後述する針６４１の移動域にわたり針６４１が挿通するようにしたもので、矩形に形成してある。
【００２３】
搬出装置６０は、本体キャビネット１に搭載され、自動販売機本体からの販売指令にしたがって、ラック５０から新聞を繰り出すためのもので、駆動ユニット６１、アーム６２、ハンド６３を備えている。
【００２４】
搬出装置６０は、駆動ユニット６１を本体キャビネット１の前方から奥方に移動させた後、奥方から前方に移動させるようになっている。
【００２５】
駆動ユニット６１には、アーム６２の一端が回動可能に取り付けてあり、アーム６２は、駆動ユニット６１の移動に伴い、ラック５０の前方から奥方に移動した後、奥方から前方に移動するようになっている。
【００２６】
アーム６２は、細長の板状体（例えば、鋼板）の両縁を下方に折り曲げたものであって、軽量化等のため、複数の穴があけてある。アーム６２の他端には、ピン６２１が移動可能に装着してあり、ハンド６３がピン６２１の軸方向に移動可能、かつ、ピン６２１の軸回りに回動可能に取り付けられるようになっている。
【００２７】
ハンド６３は、図４及び図５に示すように、板状体（例えば、鋼板）を折り曲げたものであって、基部６３１、基部前縁から前方斜め上方に延在する前部６３２、基部後縁から後方斜め上方に延在する後部６３３、前部上縁から延在し、後部６３３と平行となる端部６３４を有している。
【００２８】
基部６３１の左側と右側とには、それぞれ針ユニット６４が取り付けてある。針ユニット６４には、針６４１が装着してあり、この針ユニット６４を基部６３１に取り付けることにより、基部６３１に針６４１が装着されるようになっている。
【００２９】
端部６３４の幅方向中央から上方に前方取付部６３５が延在しており、後部６３３の幅方向中央から上方に後方取付部６３６が延在している。前方取付部６３５には、長円形の長穴６３５ａが設けてあり、アーム６２に装着されたピン６２１の一端が移動可能に挿通するようになっている。後方取付部６３６には、円形の穴６３６ａが設けてあり、アーム６２に装着されたピン６２１の他端が傾倒可能に挿通するようになっている。
【００３０】
このように端部６３４の幅方向中央となる前方取付部６３５に設けられた長穴６３５ａにピン６２１の一端が挿通され、後部６３３の幅方向中央となる後方取付部６３６に設けられた穴６３６ａにピン６２１の他端が挿通されたハンド６３は、左側の針ユニット６４の針６４１と右側の針ユニット６４の針６４１とに均等に力が作用するようになっている。
【００３１】
また、ピン６２１の一端が長穴６３５ａに移動可能に挿通され、他端が穴６３６ａに傾倒可能に装着されたハンド６３の姿勢は、図６に示すように、奥方（繰出開始位置）から前方（繰出終了位置）に移動させる力がアーム６２からハンド６３に作用した場合に、ラック５０に収納されている新聞が引っ掛かるように針６４１が斜めとなるように変更されるようになっている。一方、図７に示すように、前方（繰出終了位置）から奥方（繰出開始位置）に移動させる力がアーム６２からハンド６３に作用した場合に、ラック５０に収納されている新聞を針６４１が擦らないように針６４１が平行となるように変更されるようになっている。このように新聞に針６４１が平行になると、針６４１の先端が新聞から離反し、針６４１が新聞を擦らないようになる（針姿勢変更手段）。
【００３２】
図２及び図３に示すように、ラック５０と搬出装置６０との間には、操作レバー７が配設してある。操作レバー７は、一端が搬出装置６０の側面に取り付けられた細長い部材であって、操作部７ｂとなる他端がラック５０と搬出装置６０との間から突出している。そして、ラック５０が格納された状態で操作部７ｂを持ち上げることにより、操作レバー７を上方に回動させると、待機位置に位置するアーム６２が持ち上げられるようになっている。そして、操作部７ｂを左方に移動させることにより操作レバー７を左方に回動させると、アーム６２（ハンド６３）を持ち上げた状態で操作レバー７が搬出装置６０の側面に係止されるようになっている。
【００３３】
上述した実施の形態１である新聞自動販売機の新聞収納ラックにおいて、新聞を搬出する場合には、ラック５０に収納された新聞の上にハンド６３を降ろした状態で、搬出装置６０が駆動ユニット６１を前方から奥方に移動させた後、奥方から前方に移動させる。すると、アーム６２は、駆動ユニット６１の移動にともない、前方から奥方に移動した後、奥方から前方に移動することになる。
【００３４】
ここで、アーム６２からハンド６３に前方（待機位置（繰出終了位置））から奥方（繰出開始位置）に移動させる力が作用すると、図７に示すように、アーム６２が移動することにより、アーム６２とハンド６３の相対位置が変更される。そして、ラック５０に収納されている新聞に針６４１が平行となるようにハンド６３の姿勢が変更され、針６４１の先端を新聞から離反させる。そして、ハンド６３は、針６４１の先端を新聞から離反させた状態で前方から奥方に移動させられるので、針６４１が新聞を擦ることはない。
【００３５】
一方、アーム６２からハンド６３に奥方（繰出開始位置）から前方（繰出終了位置（待機位置））に移動させる力が作用すると、図６に示すように、アーム６２が移動することにより、アーム６２とハンド６３の相対位置が変更される。そして、ラックに収納されている新聞に針が斜めとなるようにハンドの姿勢が変更され、針６４１が新聞に引っ掛かるようになる。そして、ハンド６３は、針６４１が新聞を引っ掛けた状態で奥方から前方に移動させられるので、新聞は繰り出されることになる。
【００３６】
上述した実施の形態１である新聞自動販売機の新聞収納ラック５によれば、アーム６２からハンド６３に前方（待機位置（繰出終了位置））から奥方（繰出開始位置）に移動させる力が作用すると、ハンド６３の姿勢は、ラック５０に収納されている新聞に針が平行となるように変更され、針６４１の先端を新聞から離反するので、針６４１が新聞を擦ることはない。したがって、商品の販売品質が下がることもない。
【００３７】
（実施の形態２）
実施の形態２である新聞自動販売機の新聞収納ラックは、アーム８２とハンド８３を除いて実施の形態１である新聞自動販売機の新聞収納ラックと異なるところはないので、アーム８２とハンド８３について説明する。
【００３８】
実施の形態１と同様に、アーム８２の一端は、駆動ユニット６１に回動可能に取り付けてあり、アーム８２は、駆動ユニット６１の移動に伴い、ラック５０の前方から奥方に移動した後、奥方から前方に移動するようになっている。
【００３９】
アーム８２は、細長の板状体（例えば、鋼板）の両縁を下方に折り曲げたものであって、アーム８２の他端には、ピン８２１が移動可能に装着してあり、ハンド８３がピン８２１の軸方向に移動可能、かつ、ピン８２１の軸回りに回動可能に取り付けられるようになっている。また、アーム８２の他端には、作動部８２２が形成してある。作動部８２２は、左下縁から左方斜め上方に延在するように形成してある。
【００４０】
ハンド８３は、図８及び図９に示すように、板状体（例えば、鋼板）をコの字状に折り曲げたものであって、基部８３１、基部前縁から上方に延在する前部８３２、基部後縁から上方に延在する後部８３３を有している。
【００４１】
ハンド８３の左側と右側とには、ピン８４によって針ユニット８５が回動可能に取り付けてある。針ユニット８５には、針８５１が装着してあり、この針ユニット８５をハンド８３に取り付けることにより、ハンド８３に針が装着されるようになっている。また、針ユニット８５は、コイルバネ８６によって針の先端が上方に向くように付勢してある。
【００４２】
針ユニット８５には、従動部８５ａが形成してある。従動部８５ａは、アーム８２の他端に形成された作動部８２２に押圧されて、針ユニット８５を回動させるものであり、奥方（繰出開始位置）から前方（繰出終了位置）に移動させる力がアーム８２からハンド８３に作用した場合にアーム８２の作動部８２２が針ユニット８５の従動部８５ａを押圧するようになっている。そして、従動部８５ａが押圧されると、針８５１の姿勢は、図８に示すように、ラック５０に収納されている新聞に斜めとなるように変更され、新聞が引っ掛かるようになる。一方、前方（繰出終了位置）から奥方（繰出開始位置）に移動させる力がアーム８２からハンド８３に作用した場合にコイルバネ８６の付勢力によって針ユニット８５が時計回りに回動するようになっている。そして、針ユニット８５が回動すると、針８５１の姿勢は、図９に示すように、ラック５０に収納されている新聞に平行となるように変更され、針８５１の先端が新聞から離反し、針が新聞を擦らないようになる（針姿勢変更手段）。
【００４３】
上述した実施の形態２である新聞自動販売機の新聞収納ラックにおいて、新聞を搬出する場合には、ラック５０に収納された新聞の上にハンド８３を降ろした状態で、搬出装置６０が駆動ユニット６１を前方から奥方に移動させた後、奥方から前方に移動させる。すると、アーム８２は、駆動ユニット６１の移動にともない、前方から奥方に移動した後、奥方から前方に移動することになる。
【００４４】
ここで、アーム８２からハンド８３に前方（待機位置（繰出終了位置））から奥方（繰出開始位置）に移動させる力が作用すると、図９に示すように、アーム８２が移動することにより、アーム８２の右側面がハンド８３の右内側面と当接することになる。すると、ラック５０に収納されている新聞に針８５１が平行となるように針ユニット８５の姿勢が変更され、針８５１の先端を新聞から離反させる。そして、ハンド８３は、針８５１の先端を新聞から離反させた状態で前方から奥方に移動させられるので、針８５１が新聞を擦ることはない。
【００４５】
一方、アーム８２からハンド８３に奥方（繰出開始位置）から前方（繰出終了位置（待機位置））に移動させる力が作用すると、図８に示すように、アーム８２が移動することにより、アーム８２の作動部８２２が針ユニット８５の従動部８５ａを押圧する。そして、ラック５０に収納されている新聞に針８５１が斜めとなるように針ユニット８５の姿勢が変更され、針８５１が新聞に引っ掛かるようになる。そして、ハンド８３は、針８５１が新聞を引っ掛けた状態で奥方から前方に移動させられるので、新聞は繰り出されることになる。
【００４６】
上述した実施の形態２である新聞自動販売機の新聞収納ラック５によれば、アーム８２からハンド８３に前方（待機位置（繰出終了位置））から奥方（繰出開始位置）に移動させる力が作用すると、針ユニット８５の姿勢は、ラック５０に収納されている新聞に針８５１が平行となるように変更され、針８５１の先端を新聞から離反するので、針８５１が新聞を擦ることはない。したがって、商品の販売品質が下がることもない。
【００４７】
（実施の形態３）
実施の形態３である新聞自動販売機の新聞収納ラックは、アーム９２とハンド９３を除いて実施の形態１である新聞自動販売機の新聞収納ラックと異なるところはないので、アーム９２とハンド９３について説明する。
【００４８】
実施の形態１と同様に、アーム９２の一端は、駆動ユニット６１に回動可能に取り付けてあり、アーム９２は、駆動ユニット６１の移動に伴い、ラック５０の前方から奥方に移動した後、奥方から前方に移動するようになっている。
【００４９】
アーム９２は、細長の板状体（例えば、鋼板）の両縁を下方に折り曲げたものであって、アーム９２の他端には、ピン９２１が移動可能に装着してあり、ハンド９３がピン９２１の軸方向に移動可能、かつ、ピン８２１の軸回りに回動可能に取り付けられるようになっている。また、アーム８２の左端には針作動板９２２が固定してある。針作動板９２２には、後述する針を収容する溝９２２ａが形成してある。
【００５０】
ハンド９３は、図１０及び図１１に示すように、板状体（例えば、鋼板）をコの字状に折り曲げたものであって、基部９３１、基部前縁から上方に延在する前部９３２、基部後縁から上方に延在する後部９３３を有している。
【００５１】
基部９３１と前部９３２との境界となる部分には、針穴９３ａが形成してあり、針９４が挿通するようになっている。また、基部９３１には、針板９５が取り付けてある。針板９５は、板状体（例えば、鋼板）をＬの字状に折り曲げたものであって、針穴９３ａを挿通した針９４が挿通するようになっている。したがって、針９４は、針穴９３ａと針板９５とに支承され、斜め姿勢で進退するようになっている。
【００５２】
また、針９４の幹部は、上述した針作動板９２２に形成した溝９２２ａに径方向に移動可能かつ軸方向に移動不能に収容され、針９４を進退させることができるようになっている。また、針９４の周りには、圧縮バネ９６が配設してあり、針９４が待避するように付勢している。
【００５３】
そして、奥方（繰出開始位置）から前方（繰出終了位置）に移動させる力がアーム９２からハンド９３に作用した場合に、アーム９２が針作動板９２２を前方に移動させるようになっている。そして、針作動板９２２が移動すると、針９４は、図１０に示すように、針穴９３ａから進出し、新聞が引っ掛かるようになる。一方、前方（繰出終了位置）から奥方（繰出開始位置）に移動させる力がアーム９２からハンド９３に作用した場合に、アーム９２が針作動板９２２を奥方に移動させるようになっている。そして、針作動板９２２が移動すると、針９４は、図１１に示すように、針穴９３ａから待避し、針が新聞を擦らないようになる（針待避手段）。
【００５４】
上述した実施の形態３である新聞自動販売機の新聞収納ラックにおいて、新聞を搬出する場合には、ラック５０に収納された新聞の上にハンド９３を降ろした状態で、搬出装置６０が駆動ユニット６１を前方から奥方に移動させた後、奥方から前方に移動させる。すると、アーム９２は、駆動ユニット６１の移動にともない、前方から奥方に移動した後、奥方から前方に移動することになる。
【００５５】
ここで、アーム９２からハンド９３に前方（待機位置（繰出終了位置））から奥方（繰出開始位置）に移動させる力が作用すると、図１１に示すように、アーム９２が移動することにより、アーム９２の右側面がハンド９３の右内側面と当接することになる。すると、針作動板９２２がラックに収納された新聞から針９４の先端を待避させる。そして、ハンド９３は、新聞から針９４の先端を待避させた状態で前方から奥方に移動させられるので、針９４が新聞を擦ることはない。
【００５６】
一方、アーム９２からハンド９３に奥方（繰出開始位置）から前方（繰出終了位置（待機位置））に移動させる力が作用すると、図１０に示すように、アーム９２が移動することにより、針作動板９２２が圧縮バネ９６の付勢力に抗して針９４を進出させる。そして、針９４が新聞に引っ掛かるようになる。そして、ハンド８３は、針９４が新聞を引っ掛けた状態で奥方から前方に移動させられるので、新聞は繰り出されることになる。
【００５７】
上述した実施の形態３である新聞自動販売機の新聞収納ラック５によれば、アーム９２からハンド９３に前方（待機位置（繰出終了位置））から奥方（繰出開始位置）に移動させる力が作用すると、ラック５０に収納された新聞から針９４を待避させるので、針９４が新聞を擦ることはない。したがって、商品の販売品質が下がることもない。
【図面の簡単な説明】
【００５８】
【図１】本発明の実施の形態である新聞自動販売機の新聞収納ラックを適用した新聞自動販売機を示す正面図である。
【図２】本発明の実施の形態である新聞自動販売機の新聞収納ラックを示す斜視図である。
【図３】本発明の実施の形態である新聞自動販売機の新聞収納ラックを示す正面図である。
【図４】実施の形態１である新聞収納ラックの要部を示す斜視図であって、繰出開始位置から繰出終了位置への移動状態を示したものである。
【図５】実施の形態１である新聞収納ラックの要部を示す斜視図であって、繰出終了位置から繰出開始位置への移動状態を示したものである。
【図６】実施の形態１である新聞収納ラックの要部を示す側面図であって、繰出開始位置から繰出終了位置への移動状態を示したものである。
【図７】実施の形態１である新聞収納ラックの要部を示す側面図であって、繰出終了位置から繰出開始位置への移動状態を示したものである。
【図８】実施の形態２である新聞収納ラックの要部を示す側面図であって、繰出開始位置から繰出終了位置への移動状態を示したものである。
【図９】実施の形態２である新聞収納ラックの要部を示す側面図であって、繰出終了位置から繰出開始位置への移動状態を示したものである。
【図１０】実施の形態３である新聞収納ラックの要部を示す側面図であって、繰出開始位置から繰出終了位置への移動状態を示したものである。
【図１１】実施の形態３である新聞収納ラックの要部を示す側面図であって、繰出終了位置から繰出開始位置への移動状態を示したものである。
【符号の説明】
【００５９】
１    本体キャビネット
５    新聞収納ラック
５０    ラック
６０    搬出装置
６１    駆動ユニット
６２    アーム
６２１    ピン
６３    ハンド
６３１    基部
６３２    前部
６３３    後部
６３４    端部
６３５    前方取付部
６３５ａ    長穴
６３６    後方取付部
６３６ａ    穴
６４    針ユニット
６４１    針
８２    アーム
８２１    ピン
８２２    作動部
８３    ハンド
８３１    基部
８３２    前部
８３３    後部
８４    ピン
８５    針ユニット
８５ａ    従動部
８５１    針
８６    コイルバネ
９２    アーム
９２１    ピン
９２２    針作動板
９２２ａ    溝
９３    ハンド
９３ａ    針穴
９３１    基部
９３２    前部
９３３    後部
９４    針
９５    針板
９６    圧縮バネ
【図１】
2010067149.tif 000003
【図２】
2010067149.tif 000004
【図３】
2010067149.tif 000005
【図４】
2010067149.tif 000006
【図５】
2010067149.tif 000007
【図６】
2010067149.tif 000008
【図７】
2010067149.tif 000009
【図８】
2010067149.tif 000010
【図９】
2010067149.tif 000011
【図１０】
2010067149.tif 000012
【図１１】
2010067149.tif 000013